(57)【特許請求の範囲】
【請求項１】
アドレスを有する複数の照明器具と、前記複数の照明器具と通信するコントローラとを備える照明システムであって、
前記複数の照明器具のそれぞれは、
前記複数の照明器具のうちの一部分の照明器具に共通する所定のユーザ操作がなされたか否かを判定する判定部と、
前記所定のユーザ操作がなされたと判定されたとき、当該照明器具のアドレスを送信する第１通信部と、を備え、
前記コントローラは、
前記所定のユーザ操作がなされたとき、前記一部分の照明器具から送信されるアドレスを受信する第２通信部と、
前記第２通信部により受信されたアドレスを前記一部分の照明器具に対応付けて記憶する記憶部と、
前記記憶部に記憶されたアドレスを用いてＮ（Ｎは２以上の整数）分割探索法を行うことにより、前記一部分の照明器具のうちの対象となる１つの照明器具のアドレスを探索する探索部と、を備える
照明システム。
【請求項２】
前記照明システムは、
前記一部分の照明器具の点灯と消灯とを切り替えるための第１の壁スイッチと、
前記複数の照明器具のうちの前記一部分の照明器具以外の照明器具の点灯と消灯とを切り替えるための第２の壁スイッチとを備え、
前記所定のユーザ操作は、前記第１の壁スイッチに対する一定時間内のＫ（Ｋは３以上の整数）回のオンおよびオフの繰り返しである
請求項１に記載の照明システム。
【請求項３】
前記Ｎは３以上の整数であり、
前記探索部は、分割によるＮ個の照明器具群を互いに異なるＮ個の照明態様で照明させる
請求項１または２に記載の照明システム。
【請求項４】
前記探索部は、
（ａ）前記一部分の照明器具または特定のグループに対応するアドレス群をＮ個のグループに分割し、
（ｂ）分割されたＮ個のグループに対応するＮ個の照明器具群が互いに異なるＮ個の照明態様で照明するように指示するコマンドを、前記第２通信部を介して前記一部分の照明器具に送信し、
（ｃ）前記Ｎ個のグループから、前記対象となる１つの照明器具の照明態様と同じ照明態様で照明しているグループのアドレスを絞り込み、
（ｄ）絞り込まれた１つのグループのメンバが前記対象となる１つの照明器具になるまで、判別したグループを前記特定のグループとして上記（ａ）から（ｃ）を繰り返す
請求項３に記載の照明システム。
【請求項５】
前記コントローラは、
タッチパネルおよび表示パネルを含むユーザインターフェース部を有し、
前記ユーザインターフェース部は、前記複数の照明器具または前記一部分の照明器具の配置を示すマップを表示する
請求項４に記載の照明システム。
【請求項６】
前記コントローラは、カメラを有し、
前記探索部は、上記（ｃ）において、前記カメラによって撮像された前記複数の照明器具または前記一部分の照明器具の画像に基づいて、前記対象となる１つの照明器具の照明態様と同じ照明態様で照明しているグループを絞り込み、絞り込んだグループを判別可能にした前記マップを前記表示パネルに表示させる
請求項５に記載の照明システム。
【請求項７】
前記コントローラは、カメラを有し、
前記探索部は、上記（ｃ）において、前記ユーザインターフェース部を介してユーザに選択された照明器具をメンバとするグループを絞り込み、絞り込んだグループを判別可能にした前記マップを前記表示パネルに表示させる
請求項５に記載の照明システム。
【請求項８】
前記Ｎ個の照明態様は、点灯する照明態様、消灯する照明態様、点滅する照明態様を含む
請求項３〜７の何れか１項に記載の照明システム。
【請求項９】
前記Ｎ個の照明態様は、互いに異なる周期で点滅する複数の照明態様を含む
請求項３〜７の何れか１項に記載の照明システム。
【請求項１０】
前記Ｎ個の照明態様は、互いに異なる明るさで点灯する複数の照明態様を含む
請求項３〜７の何れか１項に記載の照明システム。
【請求項１１】
前記Ｎ個の照明態様は、互いに異なる色温度で点灯する複数の照明態様を含む
請求項３〜７の何れか１項に記載の照明システム。
【請求項１２】
前記Ｎ個の照明態様のそれぞれは、第１、第２および第３のパラメータのうちの少なくとも２つの組み合わせにより定められ、
前記第１のパラメータは、互いに異なる複数の点滅周期の１つを指示し、
前記第２のパラメータは、互いに異なる複数の調光比の１つを指示し、
前記第３のパラメータは、互いに異なる複数の色温度の１つを指示する
請求項３〜７の何れか１項に記載の照明システム。
【発明の詳細な説明】
【技術分野】
【０００１】
本発明は、通信機能を有する複数の照明器具とコントローラとを有する照明システムに関する。
【背景技術】
【０００２】
通信機能を有する照明器具は、コントローラとの通信により点灯、消灯、調光等の制御を可能にしている。このとき、コントローラは、照明器具に割り当てられたアドレスにより通信相手となる照明器具を特定する。
【０００３】
コントローラが通信相手となる照明器具のアドレスを知らない場合には、通信することができない。この点で、特許文献１は、照明器具の各々のアドレスを指定することなく、制御対象の照明器具をリモコン操作によって選択する技術を開示している。すなわち、特許文献１は、複数の照明器具の半数ごとの選択を行って、目的の選択対象を特定する技術が記載されている。
【先行技術文献】
【特許文献】
【０００４】
【特許文献１】特開２００１−３１３１８３号公報
【発明の概要】
【発明が解決しようとする課題】
【０００５】
しかしながら、特許文献１では、複数の照明器具、特に多数の照明器具において、対象となる照明器具のアドレスが分からない場合に、当該対象となる照明器具のアドレスを判別することに時間がかかるという問題がある。
という問題がある。
【０００６】
本発明は、複数の照明器具において対象となる照明器具のアドレスが分からない場合に、当該アドレスをより素早く判別する照明システムを提供する。
【課題を解決するための手段】
【０００７】
上記課題を解決する照明システムは、アドレスを有する複数の照明器具と、前記複数の照明器具と通信するコントローラとを備える照明システムであって、前記複数の照明器具のそれぞれは、前記複数の照明器具のうちの一部分の照明器具に共通する所定のユーザ操作がなされたか否かを判定する判定部と、前記所定のユーザ操作がなされたと判定されたとき、当該照明器具のアドレスを送信する第１通信部と、を備え、前記コントローラは、前記所定のユーザ操作がなされたとき、前記一部分の照明器具から送信されるアドレスを受信する第２通信部と、前記第２通信部により受信されたアドレスを前記一部分の照明器具に対応付けて記憶する記憶部と、前記記憶部に記憶されたアドレスを用いてＮ（Ｎは２以上の整数）分割探索法を行うことにより、前記一部分の照明器具のうちの対象となる１つの照明器具のアドレスを探索する探索部とを備える。
【発明の効果】
【０００８】
本発明の一態様に係る照明システムによれば、複数の照明器具において対象となる照明器具のアドレスが分からない場合に、当該アドレスをより素早く判別することができる。
【図面の簡単な説明】
【０００９】
【図１】図１は、実施の形態１における照明システムの構成例を示すブロック図である。
【図２】図２は、実施の形態１における照明器具の構成例を示すブロック図である。
【図３】図３は、実施の形態１におけるコントローラの構成例を示すブロック図である。
【図４】図４は、実施の形態１における所定のユーザ操作をトリガーとするアドレス絞込みの説明図である。
【図５】図５は、実施の形態１におけるＮ分割探査法によるアドレス判別の説明図である。
【図６】図６は、実施の形態１における壁スイッチに対する所定のユーザ操作によるアドレス群の絞込みの処理例を示すフローチャートである。
【図７】図７は、実施の形態１におけるＮ分割探査法によるアドレス判別の処理例を示すフローチャートである。
【図８】図８は、実施の形態１における複数の表示態様の具体例を示す説明図である。
【発明を実施するための形態】
【００１０】
以下、本発明の実施の形態について、図面を用いて詳細に説明する。なお、以下で説明する実施の形態は、いずれも本発明の好ましい一具体例を示す。以下の実施の形態で示される数値、形状、材料、構成要素、構成要素の配置位置及び接続形態等は、一例であり、本発明を限定する主旨ではない。また、以下の実施の形態における構成要素のうち、本発明の最上位概念を示す独立請求項に記載されていない構成要素については、より好ましい形態を構成する任意の構成要素として説明する。また、各図は、模式図であり、必ずしも厳密な寸法を表すものではない。
【００１１】
（実施の形態１）
［照明システムの構成］
まず、実施の形態１における照明システムについて説明する。図１は、実施の形態１に係る照明システムの構成例を示すブロック図である。
【００１２】
同図の照明システムは、複数の照明器具１００とコントローラ２００と壁スイッチＳＷａ、ＳＷｂ、ＳＷｃとを備える。
【００１３】
複数の照明器具１００のそれぞれは、通信用のアドレスを有し、コントローラ２００と通信する。図中の照明器具１００の下に記載された１００００１等は、アドレスの一例である。
【００１４】
コントローラ２００は、複数の照明器具１００に各種コマンドを送信し、複数の照明器具１００から応答等の信号を受信することにより、複数の照明器具１００を制御する。
【００１５】
壁ＳＷａは、複数の照明器具１００のうちの一部分の照明器具１００からなる照明器具群１０ａに共通するスイッチである。ユーザにより操作され、照明器具群１０ａの点灯と消灯とを切り替えることができるスイッチである。照明器具群１０ａに属する照明器具１００のそれぞれは、照明器具群１０ａに共通する所定のユーザ操作がなされたとき、自身のアドレスを送信する機能を有する。所定のユーザ操作は、例えば、壁スイッチＳＷａに対する一定時間内のＫ（Ｋは３以上の整数）回のオンおよびオフの繰り返しである。
【００１６】
壁ＳＷｂは、照明器具群１０ｂに対応する点以外は、壁スイッチＳＷａと同様である。
【００１７】
壁ＳＷｃは、照明器具群１０ｃに対応する点以外は、壁スイッチＳＷａと同様である。
【００１８】
上記の所定のユーザ操作がなされたとき、照明器具１００によるアドレス送信機能は、ユーザおよびコントローラ２００が複数の照明器具において対象となる照明器具１００のアドレスが分からない場合に、当該アドレスを含むアドレス群を絞り込みことができ、対象となる照明器具の属する照明器具群を素早く特定するのに役立つ。
【００１９】
［照明器具の構成］
次に、照明器具１００の構成について説明する。
【００２０】
図２は、実施の形態１における照明器具の構成例を示すブロック図である。同図の照明器具１００は、光源ユニット１１０、点灯回路１１１、制御回路１１２、第１通信部１１３、記憶部１１４、電源回路１１５、および判定部１１９を備える。
【００２１】
光源ユニット１１０は、光源として１以上の発光素子を備える。１以上の発光素子は、例えば、複数のＬＥＤ（Ｌｉｇｈｔ  Ｅｍｉｔｔｉｎｇ  Ｄｉｏｄｅ）素子である。なお、１以上の発光素子は、ＬＥＤ素子に限定されない。光源は、例えば、半導体レーザ等の半導体発光素子、有機ＥＬ（Ｅｌｅｃｔｒｏ  Ｌｕｍｉｎｅｓｃｅｎｃｅ）または無機ＥＬ等の固体発光素子を有してもよい。
【００２２】
点灯回路１１１は、光源ユニット１１０の点灯、点滅、消灯等に対応する電圧または電流を光源ユニット１１０に供給する。この電圧または電流は、光源ユニット１１０が複数のＬＥＤ素子である場合、例えば、調光比、調色比等の照明態様に応じて異なる。
【００２３】
制御回路１１２は、複数の照明態様に対応して点灯回路１１１を制御する。また、制御回路１１２は、コントローラ２００から第１通信部１１３を介して、点灯、点滅、消灯、調光、調色等を指示するコマンドを受け、当該コマンドに応じて点灯回路１１１を制御する。
【００２４】
記憶部１１４は、照明器具１００のアドレス、照明態様を定める制御データ等を記憶する。この制御データは、例えば、調光比を示すデータ、調色比を示すデータ等を含む。
【００２５】
電源回路１１５は、照明器具１００内の各部に電源を供給する。
【００２６】
判定部１１９は、複数の照明器具１００のうちの一部分の照明器具１００に共通する所定のユーザ操作がなされたか否かを判定する。所定のユーザ操作は、例えば、照明器具１００が照明器具群１０ａに属する場合は壁スイッチＳＷａに対するユーザ操作であって、上記のように、例えば、壁スイッチＳＷａに対する一定時間内のＫ（Ｋは３以上の整数）回のオンおよびオフの繰り返しである。
【００２７】
第１通信部１１３は、コントローラ２００と通信する。具体的には、コントローラ２００から上記のコマンドを受信し、コマンドへの応答およびコマンドで指示されたデータをコントローラ２００に送信する。特に、第１通信部１１３は、所定のユーザ操作がなされたと判定部１１９が判定したとき、照明器具１００のアドレスをコントローラ２００に送信する。
【００２８】
これにより、例えば、壁スイッチＳＷｂに対して所定のユーザ操作がなされたとき、コントローラ２００は、壁スイッチＳＷｂに対応する照明器具群１０ｂに属する全ての照明器具のアドレスからなるアドレス群を取得することができる。アドレス判別の対象となる照明器具１００が照明器具群１０ｂに含まれていれば、対象となる照明器具１００のアドレス候補が、複数の照明器具群１０ａ、１０ｂ、１０ｃのうち照明器具群１０ｂのアドレス群に絞り込まれたことになる。このようにして、コントローラ２００は、所定のユーザ操作をトリガーとして、対照となる照明器具１００のアドレスを含むアドレス群を絞り込む。このアドレス群は、コントローラ２００内の記憶部（メモリ）に、照明器具群１０ｂに対応させて記憶される。
【００２９】
［コントローラの構成］
次に、コントローラ２００の構成について説明する。
【００３０】
図３は、実施の形態１におけるコントローラ２００の構成例を示すブロック図である。同図のコントローラ２００は、ＵＩ部（ユーザ・インタフェース部）２１０、ＣＰＵ２１３、メモリ２１４、第２通信部２１５、カメラ２１６を備える。このコントローラ２００のハードウェア構成は、いわゆるスマートフォンまたはタブレット端末と同様の構成でよい。
【００３１】
ＵＩ部２１０は、表示パネル２１１とタッチパネル２１２とを備える。表示パネル２１１は、操作メニュー、フロアマップ等を表示する。フロアマップ（アドレスマップとも呼ぶ）は、複数の照明器具１００の配列とアドレスとを対応付けるためのマップである。タッチパネル２１２は、ユーザ操作を受け付ける。
【００３２】
ＣＰＵ２１３は、メモリ２１４に記憶されたプログラムを実行することによって、操作メニュー、フロアマップを表示パネル２１１に表示させる。その際、ＣＰＵ２１３は、２つの機能を実現する。１つは、上記の所定のユーザ操作をトリガーとするアドレス絞込み機能を実現する。もう１つは、探索部２１３ａの機能を実現する。
【００３３】
探索部２１３ａは、メモリ２１４に記憶されたアドレス群を用いてＮ（Ｎは２以上の整数）分割探索法を行うことにより、前記一部分の照明器具（例えば照明器具群１０ｂ）のうちの対象となる１つの照明器具のアドレスを探索する。Ｎ分割探索法の詳細については後述する。
【００３４】
メモリ２１４は、上記プログラム、上記アドレス群等を記憶する。
【００３５】
第２通信部２１５は、照明器具１００に各種コマンドを送信し、また、照明器具１００からの応答等を受信する。各種コマンドには、照明器具１００のそれぞれに照明態様を指定するコマンドが含まれる。
【００３６】
カメラ２１６は、複数の照明器具１００を動画や静止画像として撮像する。カメラ２１６により撮像された動画または静止画像である映像は、個々の照明器具１００の照明態様を判別する画像認識処理に用いられる。
【００３７】
［コントローラ２００の表示画面例］
ここで、コントローラ２００の表示パネル２１１の表示画面例について説明する。
【００３８】
図４は、実施の形態１における所定のユーザ操作をトリガーとするアドレス群の絞り込みの説明図である。図４の（ａ）は表示画面例ｄ１を、（ｂ）は表示画面例ｄ２を示す。
【００３９】
表示画面例ｄ１は、フロアマップの一例を示す。フロアマップ中の四角マークはアイコンであり、照明器具１００を表している。四角マークのアイコンの配列は、照明器具１００の配列を表す。この配列は、事前にユーザーが建築図面から作成してきても良いし、カメラ２１６からの映像に対して照明態様を認識する画像認識処理を施すことによって自動的に作成されてもよい。丸印が付与された四角マークのアイコンＴは、アドレス判別の対象となる照明器具１００を表す。対象となる照明器具１００はユーザ操作により指定される。ただし、表示画面例ｄ１のフロアマップでは、個々の照明器具１００のアドレスは不明であるものとする。
【００４０】
表示画面例ｄ２は、壁スイッチＳＷｂがオンであるときの複数の照明器具１００の点灯状態を示している。白抜き四角マークはアイコンであり、点灯している照明器具１００を示す。黒塗り四角マークはアイコンであり、消灯している照明器具１００を示す。この表示画面ｄ２は、壁スイッチＳＷｂだけがオンであるときに、カメラ２１６が複数の照明器具１００を撮像し、コントローラ２００が個々の照明器具１００の照明態様を画像認識することにより、作成される。なお、表示画面ｄ１に対するアイコン操作（つまり点灯状態か消灯状態かを指定）を受け付けることにより表示画面ｄ２を作成してもよい。
【００４１】
このようにして、コントローラ２００は、壁スイッチＳＷｂを共有する照明器具１００を判別することができる。破線枠は、壁スイッチＳＷｂを共有する照明器具１００を示す。さらに、表示画面例ｄ２の状態で、所定のユーザ操作が成されたとき、コントローラ２００は、壁スイッチＳＷｂを共有する照明器具１００のアドレス群を取得することになる。このアドレス群は、壁スイッチＳＷｂを共有する照明器具（図１の照明器具群１０ｂ）に対応させて、メモリ２１４に記憶される。
【００４２】
表示画面例ｄ１および表示画面例ｄ２に示すように、壁スイッチに対する所定のユーザ操作により、対象となる照明器具１００のアドレスを含むアドレス群を絞り込む。
【００４３】
図５は、実施の形態１におけるＮ分割探査法によるアドレス判別の説明図である。図５の（ａ）は表示画面例ｄ３を、（ｂ）は表示画面例ｄ４を、（ｃ）は表示画面例ｄ５を示す。
【００４４】
表示画面例ｄ３は、図４の表示画面例ｄ２において取得されたアドレス群に対して、Ｎ分割探査法の１回目を行ったときの様子を示す。この例ではＮ＝３である。上記のアドレス群は３分割される。つまり、アドレス群は３グループに分割される。３つのグループは互いに異なる照明態様で照明するように、コントローラ２００から分割されたアドレス宛にコマンドが送信される。黒塗り四角アイコンは消灯、斜め線ハッチングの四角アイコンは点滅、白抜き四角アイコンは点灯を表している。この状態は、カメラ２１６からの映像において照明態様を判別することにより得られる。対象となる照明器具１００は黒塗りの四角アイコンに対応するので、消灯を指示したグループのアドレス群に対応する。つまり、対象となる照明器具１００のアドレスが破線枠の照明器具１００に対応するアドレス群に含まれる。
【００４５】
表示画面例ｄ４は、表示画面例ｄ３において取得されたアドレス群に対して、Ｎ分割探査法の２回目を行ったときの様子を示す。対象となる照明器具１００のアドレスが破線枠の照明器具１００に対応するアドレス群に絞り込まれる。
【００４６】
表示画面例ｄ５は、表示画面例ｄ４において取得されたアドレス群に対して、Ｎ分割探査法の３回目を行ったときの様子を示す。対象となる照明器具１００のアドレスが破線枠の照明器具１００に対応するアドレス群に絞り込まれる。表示画面例ｄ５では、対象となる照明器具１００のアドレスが、１つしか存在しない黒塗りの照明器具１００に対応する。これにより、対象となる照明器具１００のアドレスは、消灯を指示したアドレスであると判別される。
【００４７】
このように、アドレスが不明の複数の照明器具において、対象となる照明器具のアドレスを素早く判別することができる。
【００４８】
なお、図５では、分割数Ｎ＝３の例を示したが、Ｎは、カメラ２１６によって識別可能な表示態様であれば、いくつでもよい。
【００４９】
［動作］
以上のように構成された実施の形態１に係る照明システムについて、壁スイッチに対する所定のユーザ操作によるアドレス群の絞込み処理、Ｎ分割探索法によるアドレス判別処理、および、Ｎ個の表示態様について説明する。
【００５０】
まず、所定のユーザ操作によるアドレス群の絞込み処理について説明する。
【００５１】
図６は、実施の形態１における壁スイッチに対する所定のユーザ操作によるアドレス群の絞込みの処理例を示すフローチャートである。
【００５２】
同図の（ａ）は照明器具１００における処理を示す。同図の（ｂ）はコントローラ２００における処理を示す。
【００５３】
同図の（ａ）において、照明器具１００の判定部１１９によって所定のユーザ操作、つまり壁スイッチに対する一定時間内のＫ（Ｋは３以上の整数）回のオンおよびオフの繰り返しがなされたと判定された場合（Ｓ６１でｙｅｓ）、照明器具１００はアドレス送信モードに移行する（Ｓ６２）。アドレス送信モードは、自身のアドレスを送信可能な状態で、コントローラ２００からの指示待ちのモードであり、コントローラ２００からの指示（ここではアドレス要求信号とする）を受けたか否かを繰り返し判定する（Ｓ６３でｎｏ）。
【００５４】
アドレス送信モードにおいて照明器具１００がコントローラ２００からのアドレス要求信号を受信したとき（Ｓ６３でｙｅｓ）、照明器具１００は自身のアドレスを送信し（Ｓ６４）、アドレスを受信した旨の応答を待機する。応答の待機では、照明器具１００はコントローラ２００から応答を受信したか否か繰り返し判定する（Ｓ６５でｎｏ）。なお、ステップＳ６４のアドレス送信では、他の照明器具１００によるアドレス送信と競合しないように、他の照明器具１００からの送信信号の有無をチェックし、送信信号がないタイミングで、アドレスを送信すればよい。
【００５５】
応答を受信したとき（Ｓ６５でｙｅｓ）、照明器具１００はアドレス送信モードから通常モードに復帰する（Ｓ６６）。
【００５６】
なお、ステップＳ６４のアドレス送信は、コントローラ２００のアドレス宛でもよいし、ブロードキャストアドレス宛でもよい。
【００５７】
同図の（ｂ）において、人による壁スイッチに対する所定のユーザ操作がなされると（Ｓ７１）、コントローラ２００は、カメラ２１６により撮像された複数の照明器具１００の映像上で、個々の照明器具１００が点灯したか消灯したままかを判別することにより、当該壁スイッチを共有する照明器具１００の位置および台数ｎを確認し、フロアマップに対応付ける（Ｓ７２）。なお、所定のユーザ操作の直後に当該壁スイッチをオン、他の壁スイッチをオフにしておけば、ステップＳ７２を容易かつ確実にする。また、ステップＳ７２における、壁スイッチを共有する照明器具１００の位置および台数ｎは、ＵＩ部２１０を介したユーザ操作により入力されてもよい。例えば台数ｎが少ない場合（例えば３台程度）は、ユーザ操作によって上記位置および台数の入力を受けるようにしてもよい。
【００５８】
さらに、コントローラ２００は、アドレス要求を送信する。このアドレス要求は、例えば、ブロードキャストアドレス宛に送信してもよい。なお、照明器具１００がアドレス送信モードでは宛先アドレスを無視して全ての信号を受信すれば、アドレス要求の宛先アドレスは設定しなくてもよい。
【００５９】
アドレス要求信号送信後にコントローラ２００は、アドレス送信モードの照明器具１００からアドレスを受信し（Ｓ７４でｙｅｓ）、受信したアドレスをメモリ２１４に記憶させる（Ｓ７５）。さらに、コントローラ２００は、ステップＳ７２で確認した台数ｎと同数のｎ回アドレスを受信したか否かを判定し、ｎ回受信していない場合は（Ｓ７６でｎｏ）、ステップＳ７４に戻り、ｎ回受信した場合は（Ｓ７６でｙｅｓ）、アドレスを受信した旨の応答を送信する（Ｓ７７）。この応答は、ブロードキャストアドレス宛でよい。なお、上記と同様に、照明器具１００がアドレス送信モードでは宛先アドレスを無視して全ての信号を受信すれば、応答の宛先アドレスは設定しなくてもよい。
【００６０】
以上により、コントローラ２００は、壁スイッチに対応する照明器具群に属する照明器具１００の位置と、照明器具群に対応するアドレス群とを取得することができる。
【００６１】
次に、Ｎ分割探索法によるアドレス判別処理について説明する。
【００６２】
図７は、実施の形態１におけるＮ分割探査法によるアドレス判別の処理例を示すフローチャートである。
【００６３】
図７において、コントローラ２００は、表示パネル２１１にマップ（つまりフロアマップ）を表示し（Ｓ８０）、さらに、ユーザから１つ以上のターゲット指定を受ける（Ｓ８１）。ターゲットは、アドレス判別の対象となる照明器具１００である。このとき、コントローラ２００は、図４の（ｂ）のように、壁スイッチに対応する照明器具群を他の照明器具群と区別可能なように表示する。また、対象となる照明器具１００も他の照明器具１００と区別可能なように表示する。
【００６４】
さらに、コントローラ２００の探索部２１３ａは、一部分の照明器具（つまり、壁スイッチに対応する照明器具群）または特定のグループに対応するアドレス群をＮ個のグループに分割し（Ｓ８２）、分割したＮ個のグループに対応するＮ個の照明器具群に、互いに異なるＮ個の照明態様で照明させるように指示するコマンドを送信する（Ｓ８３）。このコマンドは、アドレス群の個々のアドレス宛に送信される。また、同じグループ内のアドレス宛のコマンドには、同じ照明態様が指示される。
【００６５】
この後、Ｎ個のグループから、ターゲットの照明態様と同じ照明態様で照明しているグループを絞込み、当該グループに対応するアドレス群を絞り込む（Ｓ８４）。このとき、探索部２１３ａは、個々の照明器具１００がターゲットの照明態様と同じ照明態様で照明しているか否かをカメラ２１６からの映像上で判別する。判別結果は、例えば図５の（ａ）〜（ｃ）のように表示される。
【００６６】
さらに、探索部２１３ａは、絞り込まれた１つのグループのメンバが１つでなければ（Ｓ８４でｎｏ）ステップＳ８２に戻り、絞り込まれた１つのグループのメンバが１つであれば（Ｓ８５でｙｅｓ）、アドレス判別されていない他のターゲットが指定されていれるか否かを判定し、他のターゲットが指定されていれば（Ｓ８７でｙｅｓ）ステップＳ８２に戻り、他のターゲットが指定されていなければ処理を終了する。
【００６７】
図７の右側のステップＳ９１〜Ｓ９４は、上記のステップＳ８４の詳細を示す。
【００６８】
探索部２１３ａは、ステップＳ８３の後、カメラ２１６で撮像した映像上で、照明器具１００毎の照明態様を判別し（Ｓ９１）、ターゲットと同じ照明態様のグループを選択し（Ｓ９２）、表示パネル２１１のマップを更新する。
【００６９】
以上により、所定のユーザ操作により絞り込まれたアドレス群の中から、対照となる照明器具１００のアドレスを判別することができる。
【００７０】
なお、図７のステップＳ８４において、探索部２１３ａは、カメラ２１６で撮像した映像に対する画像認識処理により照明器具１００毎の照明態様を判別するが、照明態様の判別の一部または全部をユーザ操作に委ねてもよい。この場合、探索部２１３ａは、ステップＳ９１を省略し、ステップＳ９２において、ＵＩ部２１０を介してユーザの選択操作を受け付けることによってターゲットと同じ照明態様のグループを選択する。このとき、ユーザは、ＵＩ部２１０に表示された照明器具のアイコン（図５では四角マーク）のうち、ターゲットと同じ照明態様の照明器具のアイコンを順次選択すればよい。
【００７１】
上記の画像認識処理により照明態様の判別と、ユーザの選択操作による照明態様の判別とは、ステップＳ８２〜Ｓ８５のループ処理のなかで適宜切り替えてもよい。例えば、ステップＳ８５でグループのメンバ数が所定数より小さくなった後は、ユーザの選択操作による照明態様の判別に切り替えてもよい。ここで所定数は例えば３または５等でよい。
【００７２】
さらに、Ｎ個の表示態様について説明する。
【００７３】
図８は、実施の形態１における複数の表示態様の指定例を示す説明図である。同図の表示態様の指定例は、３つのパラメータ１〜３の組み合わせにより１つの表示態様が指定される。パラメータ１は、照明器具１００の点滅周期を指定する。パラメータ１の値１は点滅周期５０ｍＳを指定する。パラメータ１の値２〜４は、点滅周期８０ｍＳ、１１０ｍＳ、１４０ｍＳをそれぞれ指定する。
【００７４】
パラメータ２は、照明器具１００の調光比を指定する。パラメータ２の値１は調光比１００％を指定する。パラメータ１の値２〜４は、調光比７０％、４０％、１０％をそれぞれ指定する。
【００７５】
パラメータ３は、照明器具１００の色温度を指定する。パラメータ３の値１は色温度３００Ｋ（Ｋはケルビン）を指定する。パラメータ３の値２〜４は、色温度４００Ｋ、５０００Ｋ、６０００Ｋをそれぞれ指定する。
【００７６】
この例では、最大６４通りの照明態様を指定可能である。この場合、Ｎ分割探索法の範囲となる照明器具１００の総数が６４以下であれば、図７の１回の処理（つまり繰り返しなし）で、アドレスを判別することができる。
【００７７】
本実施の形態におけるＮ分割探索法では、１回のグループ分割で探索対象の照明器具１００を１／Ｎに絞り込むことができる。
【００７８】
図８の例では、分割数Ｎ＝６４にできるので、Ｎ分割探索法の繰り返し回数を大きく減らすことができる。その結果、Ｎ=３の場合と比べて、対象となる照明器具１００のアドレス判別を飛躍的に素早くすることができる。
【００７９】
なお、図８の各パラメータの値の数は、カメラ２１６の解像度、フレームレートおよび感度により異なるが、表示態様を識別可能な範囲内で増やすことができる。例えば、パラメータ１の点滅周期を２０ｍＳおきに２０、４０、６０、８０、１００、１２０、１４０、・・・としてもよい。他のパラメータについても同様にとり得る値の数を増加させることができる。
【００８０】
なお上記の実施の形態では、第１に、壁スイッチに対する所定のユーザ操作によるアドレス群の絞込み処理、第２に、Ｎ分割探索法によるアドレス判別処理を実行するが、第１の絞り込み処理の代わりに、複数の照明器具１００の全てのアドレスを取得する処理を行ってもよい。これは、図８に示したようにＮが大きい程、対象となる照明器具１００のアドレスを素早く判別することができるからである。
【００８１】
なお、上記実施の形態および各変形例において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【００８２】
また、上記各実施の形態１において、特定の処理部が実行する処理を別の処理部が実行してもよい。
【００８３】
なお、本発明の包括的または具体的な態様は、システム、方法、集積回路、コンピュータプログラムまたはコンピュータ読み取り可能なＣＤ−ＲＯＭなどの記録媒体で実現されてもよい。また、本発明の包括的または具体的な態様は、システム、方法、集積回路、コンピュータプログラムまたは記録媒体の任意な組み合わせで実現されてもよい。例えば、本発明は、照明装置の制御方法や、ビジネスモデル（レンタル方法および課金方法）として実現されてもよい。
【００８４】
なお、本発明は、これらの実施の形態またはその変形例に限定されるものではない。本発明の趣旨を逸脱しない限り、当業者が思いつく各種変形を本実施の形態またはその変形例に施したもの、あるいは異なる実施の形態またはその変形例における構成要素を組み合わせて構築される形態も、本発明の範囲内に含まれる。
【符号の説明】
【００８５】
１００  照明器具
１１３  第１通信部
１１９  判定部
２００  コントローラ
２１０  ＵＩ部
２１３ａ２１３ａ  探索部
２１４  メモリ
２１５  第２通信部
２１６  カメラ
ＳＷａ、ＳＷｂ、ＳＷｃ  壁スイッチ
【図１】
0006418393.tif 000002
【図２】
0006418393.tif 000003
【図３】
0006418393.tif 000004
【図４】
0006418393.tif 000005
【図５】
0006418393.tif 000006
【図６】
0006418393.tif 000007
【図７】
0006418393.tif 000008
【図８】
0006418393.tif 000009